【手続補正書】
【提出日】平成16年7月9日(2004.7.9)
【手続補正１】
【補正対象書類名】明細書
【補正対象項目名】特許請求の範囲
【補正方法】変更
【補正の内容】
【特許請求の範囲】
【請求項１】
水栓に連結し、流入する原水を濾過する濾過部を備えた浄水器であって、上記濾過部には容積が５０ｃｍ3以上の吸着剤層と中空糸膜束とが原水の流れ方向にこの順に配置され、上記吸着剤層に充填される吸着剤には粒状活性炭が含まれ、該粒状活性炭は、半径が７〜１５オングストロームの微細孔を有し、該微細孔の容積は全細孔容積の４０％以上を占め、かつ前記粒状活性炭は０．１〜１ｍｍの粒径を有する粒子群の質量が、粒状活性炭全質量の８０％以上であり、濾過部の容器内部に円筒体を略同軸に配置し、前記円筒体の内部には複数本の中空糸膜を束ねて収納した中空糸膜束を配備し、前記中空糸膜の両端末は、円筒体の下部にて各中空糸膜間の隙間および中空糸膜と円筒体との間に封止剤としての接着剤を充填して封止固定され、各中空糸膜の両端末は浄化水取出口に向かって開口していることを特徴とする浄水器。
【請求項２】
請求項１に記載の浄水器において、前記浄水器は、原水供給口が設けられた本体部を有し、前記濾過部は原水受入口を有し、前記原水供給口と前記原水受入口に、互いに着脱自在な接続構造を設けたことを特徴とする浄水器。
【請求項３】
請求項２に記載の浄水器において、前記互いに着脱自在の接続構造が、ゴムパッキンを圧接して液密状態に係合されるバヨネット機構、またはＯリングとねじ込みを併用した接続のいずれかであることを特徴とする浄水器。
【請求項４】
請求項１〜３のいずれかに記載の浄水器において、中空糸膜の汚れ具合が外部から見えるように透明カバーが嵌入されていることを特徴とする浄水器。
【手続補正２】
【補正対象書類名】明細書
【補正対象項目名】０００１
【補正方法】変更
【補正の内容】
【０００１】
【発明の属する技術分野】
本発明は水道水その他の原水を吸着剤層と中空糸膜束とからなる濾過部を通過させ、安全でおいしい水を十分な期間にわたって供給可能にする浄水器に関するものである。
【手続補正３】
【補正対象書類名】明細書
【補正対象項目名】０００６
【補正方法】変更
【補正の内容】
【０００６】
【課題を解決するための手段】
上記の目的を達成するための、請求項１の浄水器は、水栓に連結し、流入する原水を濾過する濾過部を備えた浄水器であって、上記濾過部には容積が５０ｃｍ3以上の吸着剤層と中空糸膜束とが原水の流れ方向にこの順に配置され、上記吸着剤層に充填される吸着剤には粒状活性炭が含まれ、該粒状活性炭は、半径が７〜１５オングストロームの微細孔を有し、該微細孔の容積は全細孔容積の４０％以上を占め、かつ前記粒状活性炭は０．１〜１ｍｍの粒径を有する粒子群の質量が、粒状活性炭全質量の８０％以上であり、濾過部の容器内部に円筒体を略同軸に配置し、前記円筒体の内部には複数本の中空糸膜を束ねて収納した中空糸膜束を配備し、前記中空糸膜の両端末は、円筒体の下部にて各中空糸膜間の隙間および中空糸膜と円筒体との間に封止剤としての接着剤を充填して封止固定され、各中空糸膜の両端末は浄化水取出口に向かって開口していることを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項２の浄水器は、請求項１に記載の浄水器において、前記浄水器は、原水供給口が設けられた本体部を有し、前記濾過部は原水受入口を有し、前記原水供給口と前記原水受入口に、互いに着脱自在な接続構造を設けたことを特徴とする。また、請求項３の浄水器は、請求項２に記載の浄水器において、前記互いに着脱自在の接続構造が、ゴムパッキンを圧接して液密状態に係合されるバヨネット機構、またはＯリングとねじ込みを併用した接続のいずれかであることを特徴とする。また、請求項４の浄水器は、請求項１〜３のいずれかに記載の浄水器において、中空糸膜の汚れ具合が外部から見えるように透明カバーが嵌入されていることを特徴とする。
【手続補正６】
【補正対象書類名】明細書
【補正対象項目名】００１３
【補正方法】変更
【補正の内容】
【００１３】
また、請求項１の浄水器は、前記吸着剤層の容積が５０ｃｍ3以上であるから、一日あたり１０リットルの浄化水を使用するとした場合、浄水器のトリハロメタン除去寿命を２ヶ月以上とすることができ、頻繁に交換する必要がなく便利である。
【手続補正７】
【補正対象書類名】明細書
【補正対象項目名】００１４
【補正方法】変更
【補正の内容】
【００１４】
請求項２の浄水器であれば、請求項１に記載の浄水器において、前記浄水器は、原水供給口が設けられた本体部を有し、前記濾過部は、原水受入口を有し、該原水供給口と該原水受入口に、互いに着脱自在な接続機構を設けてなるのであるから、寿命時期に達した浄水器を交換するに際して、該濾過部のみを新品濾過部に交換すればよいため、経済的であり、かつ、交換作業が容易である。
【手続補正８】
【補正対象書類名】明細書
【補正対象項目名】００２３
【補正方法】変更
【補正の内容】
【００２３】
円筒体７と容器１０の内壁面との間には活性炭１８が配備され、リング状のフィルター９ａ、９ｂ間で吸着剤層１９が形成されている。
【手続補正９】
【補正対象書類名】明細書
【補正対象項目名】００２５
【補正方法】変更
【補正の内容】
【００２５】
実施例１
吸着剤層に、ヤシ殻を原料とする半径が７〜１５オングストロームの微細孔を有し、かつ該微細孔の容積が全細孔容積の４５％を占める粒状活性炭であって、該粒状活性炭は粒径が０．１〜１ｍｍの粒径を有する粒子群の質量が、全粒子質量の９０％であるものを５０ｃｍ3充填した。
【手続補正１０】
【補正対象書類名】明細書
【補正対象項目名】００２８
【補正方法】変更
【補正の内容】
【００２８】
実施例２
次に、吸着剤層に１５０ｍｌの前記活性炭を充填し、濃度が１００ｐｐｂのトリハロメタン（クロロホルム４５ｐｐｂ、ブロモジクロロメタン３０ｐｐｂ、ジブロモクロロメタン２０ｐｐｂ、ボロモホルム５ｐｐｂ）と２ｐｐｍの遊離塩素を含む試験水を２リットル／ｍｉｎで通水し、濾過された浄化水のトリハロメタン濃度が２０ｐｐｂ以上になるまでの総通水量を測定したところ、２，４８０リットルであった。なお遊離塩素は常に９０％以上除去されていた。
【手続補正１１】
【補正対象書類名】明細書
【補正対象項目名】００３３
【補正方法】変更
【補正の内容】
【００３３】
さらに、請求項１の発明は、一日あたり１０リットルの浄化水を使用するとした場合、浄水器のトリハロメタン除去寿命を２ヶ月以上とすることができ、頻繁に交換する必要がなく便利であるという特有の効果を奏する。請求項２の発明は、寿命時期に達した該濾過部を新品濾過部へ交換するに際して経済的であり、かつ交換作業が非常に容易であるという特有の効果を奏する。
【手続補正１２】
【補正対象書類名】明細書
【補正対象項目名】符号の説明
【補正方法】変更
【補正の内容】
【符号の説明】
１：浄水器
２：本体部
３：濾過部
４：浄水取出口
５：原水受入口
６：円筒状突起
７：円筒体
８：Ｏリング
９ａ、９ｂ：フィルター
１０：容器
１１：中空糸膜
１２：中空糸膜束
１３：シャワー孔
１４：接着剤
１５：中空糸の両端末
１６：透明カバー
１７：キャップ
１８：活性炭
１９（図１の場合）：水栓
１９（図２の場合）：吸着剤層
２０：原水供給口
２１：ゴムパッキン
２２：原水吐出口